(57)【要約】【課題】  ホスト側の情報記録再生装置からストレージ側の情報記録再生装置のフォーマット管理を行う。【解決手段】  ＤＳＣ２のＣＰＵ２１は、ＭＯ（ストレージ装置）１からサポートフォーマット情報を受信すると、サポートフォーマット情報を液晶表示部に設定画像により表示する。また、ＭＯ（ストレージ装置）１からディスク情報を受信すると、使用ディスクのディスク情報を確認し、ＭＯ（ストレージ装置）１にディスクが未挿入かどうか判断し、ディスクが未挿入の場合には未挿入情報を液晶表示部に設定画像により表示し、ディスクが挿入されている場合には挿入されているディスクの情報を設定画像により表示する。【選択図】  図３
2005166166.tif 000002
【特許請求の範囲】
【請求項１】
ファイル操作を行うファイルを選択する表示手段と選択手段及び第１の記憶手段を有する第１の情報記録再生装置と、
第２の記憶手段を有し、前記第１の情報記録再生装置の指示に従って前記第１の情報記録再生装置からファイルを受信し前記第２の記録手段にファイルの保存を行い、或いは前記第２の記憶手段のファイルを前記第１の情報記録再生装置に送信を行う第２の情報記録再生装置と
を備え、
前記第２の情報記録再生装置は、前記第２の記憶手段で記録再生可能なフォーマット種別を前記第１の情報記録再生装置に送付し、
前記第１の情報記録再生装置は、前記第２の情報記録再生装置から受信した前記第２の記憶手段で記録再生可能なフォーマット種別の一部または全てを前記表示手段に表示する
ことを特徴としたフォーマット管理システム。
【請求項２】
記憶手段で記録再生可能なフォーマット種別を接続された外部の情報記録再生装置に送付する
ことを特徴とした情報記録再生装置。
【請求項３】
前記外部の情報記録再生装置からの前記フォーマット種別に基づくフォーマット実行命令に従って前記記憶手段をフォーマットする
ことを特徴とした請求項２に記載の情報記録再生装置。
【請求項４】
接続された外部の情報記録再生装置の記憶手段で記録再生可能なフォーマット種別を前記外部の情報記録再生装置から受信し表示手段に一部または全てを表示する
ことを特徴とした情報記録再生装置。
【請求項５】
受信した前記外部の情報記録再生装置からの前記フォーマット種別に基づき、前記外部の情報記録再生装置の記憶手段のフォーマット種別を選択する選択手段と、
前記選択手段が選択したフォーマット種別に基づき、前記外部の情報記録再生装置の記憶手段のフォーマットを実行させるコマンドを前記外部の情報記録再生装置に送信する
ことを特徴とした請求項４に記載の情報記録再生装置。
【発明の詳細な説明】
【技術分野】
【０００１】
本発明は、複数の情報記録再生装置間での記録媒体のフォーマットの管理を行うフォーマット管理システムに関する。
【背景技術】
【０００２】
例えば特開平１１−１２２５７４号公報において、フィルムの画像をフィルムスキャナで読み込み、フォーマット変換して、ＤＳＣ（デジタルスチルカメラ）用メディアに保存することのできる画像変換装置が提案されている。
【０００３】
また、例えば特開２００１−２３６２５２号公報においては、ＤＳＣ等の記録媒体のディレクトリを識別し、ファイル形式変換処理方法テーブルに基づきフォーマット変換し、画像の複写及び移動、表示をすることを可能とする画像のフォーマット変換方法が提案されている。
【０００４】
ところで、Windows XP（登録商標）やMac0S X（登録商標）が標準でサポートしているＩ／Ｆ方式としてＰＴＰ（Picture Transfer Protocol：画像転送プロトコル）があり、通常ＤＳＣからＰＣ（パーソナルコンピュータ）に画像を取り込むのに使用されている。
【０００５】
ＰＴＰ対応のＤＳＣは、ＰＣに対してＤＳＣ内の画像ファイルを識別するためのファイル識別子を提示し、ＰＣはファイル識別子を用いてＤＳＣからファイル情報を得たり、ファイルを受信したりする。
【０００６】
すなわち、ＤＳＣがＤＳＣ内のファイルシステムを管理し、ＰＣからはフォーマットを含むＤＳＣ内のファイルシステムは見えない（ユーザがフォーマット種別を意識しない、認識できない）ようになっている。
【０００７】
このＰＴＰ対応のＤＳＣをWindows XP（登録商標）やMac0S X（登録商標）等のＯＳ（オペレーティングシステム）を搭載したＰＣに接続すると、ユーザはＤＳＣのディレクトリ構造を意識することなしに、ＰＣ画面でＤＳＣ内のサムネイル画像を見ながら、ＤＳＣ内の画像をＰＣヘコピーしたり、ＤＳＣからの削除を容易に行える（ＤＳＣでのサムネイル表示と同じようにＰＣ画面に表示され、表示された画像をクリックすることで選択でき、選択した画像をＤＳＣからＰＣへの取り込んだり（コピー）、ＤＳＣからの画像削除が簡単に行える）。
【特許文献１】特開平１１−１２２５７４号公報
【特許文献１】特開２００１−２３６２５２号公報
【発明の開示】
【発明が解決しようとする課題】
【０００８】
しかしながら、Windows XP（登録商標）やMac0S X（登録商標）では、ＰＴＰ接続されたＤＳＣのフォーマット種別を確認できないし、またＤＳＣのフォーマットもできない（通常はＤＳＣにフォーマット機能があるので問題ないが）。
【０００９】
最近はＰＣを介さずに、ＤＳＣからＭＯ（光磁気ディスク）等の外部ストレージに、或いはＤＳＣで使用されるＳＭ（スマートメディア）などの記録媒体から外部ストレージにダイレクト且つ容易に画像をコピーする外部ストレージ装置が提案されている。
【００１０】
この外部ストレージ装置をＰＴＰ対応にすることで、外部ストレージ装置からＰＣへの画像取り込みをＤＳＣの場合と同様に容易に行えるようにすることができる。
【００１１】
しかしＰＴＰでは外部ストレージ装置でのフォーマットができないので、未使用のディスクや、データが不要になった使用済みのディスクのフォーマットを行うことができない。
【００１２】
また外部ストレージ装置はＤＳＣとば違い、通常液晶画面や電源オン／オフやディスクのイジェクトを行う以外の操作スイッチが付いていないので、外部ストレージ装置でフォーマットを行うこともできない。
【００１３】
本発明は、上記事情に鑑みてなされたものであり、ホスト側の情報記録再生装置からストレージ側の情報記録再生装置のフォーマット管理を行うことのできるフォーマット管理システムを提供することを目的としている。
【課題を解決するための手段】
【００１４】
本発明のフォーマット管理システムは、ファイル操作を行うファイルを選択する表示手段と選択手段及び第１の記憶手段を有する第１の情報記録再生装置と、第２の記憶手段を有し、前記第１の情報記録再生装置の指示に従って前記第１の情報記録再生装置からファイルを受信し前記第２の記録手段にファイルの保存を行い、或いは前記第２の記憶手段のファイルを前記第１の情報記録再生装置に送信を行う第２の情報記録再生装置とを備え、前記第２の情報記録再生装置が前記第２の記憶手段で記録再生可能なフォーマット種別を前記第１の情報記録再生装置に送付し、前記第１の情報記録再生装置が前記第２の情報記録再生装置から受信した前記第２の記憶手段で記録再生可能なフォーマット種別の一部または全てを前記表示手段に表示するように構成される。
【発明の効果】
【００１５】
本発明によれば、ホスト側の情報記録再生装置からストレージ側の情報記録再生装置のフォーマット管理を行うことができるという効果がある。
【発明を実施するための最良の形態】
【００１６】
以下、図面を参照しながら本発明の実施例について述べる。
【実施例１】
【００１７】
図１ないし図２１は本発明の実施例１に係わり、図１はデータ処理管理システムの構成を示す構成図、図２は図１のＤＳＣの背面構成を示す外観図、図３は図１のＤＳＣ及びストレージ装置の構成を示すブロック図、図４は図２のＤＳＣの背面構成を示す構成図、図５は図２のＤＳＣの背面構成の変形例を示す構成図、図６は図３のＤＳＣのＣＰＵのフォーマット確認処理を説明するフローチャート、図７は図３のストレージ装置のＣＰＵのフォーマット確認処理を説明するフローチャート、図８は図４の液晶表示部４に表示される設定画像を示す図、図９は図３のストレージ装置のファイル管理部に格納されているフォーマット情報を示す図、図１０は図９のフォーマット情報を表示した設定画像を示す図、図１１は図３のストレージ装置のファイル管理部に格納されているディスク情報を示す第１の図、図１２は図３のストレージ装置のファイル管理部に格納されているディスク情報を示す第２の図、図１３は図１１のディスク情報を表示した設定画像を示す図、図１４は図１２のディスク情報を表示した設定画像を示す図、図１５は図３のＤＳＣのＣＰＵのフォーマット実行処理を説明するフローチャート、図１６は図３のストレージ装置のＣＰＵのフォーマット実行処理を説明するフローチャート、図１７は図３のストレージ装置のファイル管理部に格納されているフォーマット情報／ディスク情報を示す図、図１８は図３のＤＳＣのＣＰＵのフォーマット実行処理で表示されるフォーマット実行選択画面を示す図、図１９は図１８のフォーマット実行選択画面での選択実行で発行されるフォーマットコマンドを示す図、図２０は図１７のフォーマット情報／ディスク情報の第１の変形例を示す図、図２１は図１７のフォーマット情報／ディスク情報の第２の変形例を示す図である。
【００１８】
図１に示すように、本実施例のフォーマット管理システムは、（ストレージ側の）ストレージ装置１と（ホスト側の）デジタルスチルカメラ（以下、ＤＳＣ）２とが接続されて構成され、図２に示すように、ＤＳＣ２の背面には、被写体を撮影した画像を表示したり各種設定画面を表示する液晶表示部４と、被写体像を確認するファインダ５と、ＤＳＣ２の電源オン状態を示すパワーＬＥＤ６と、液晶表示部４に表示される各種設定画面上での操作データを入力する選択／決定ボタン９等とが設けられ、ＤＳＣ２の上部には、画像の撮像を指示するシャッタ１０と、ＤＳＣ２における撮影モード及び操作モード等のモードを選択するモード選択ダイヤル１１等が設けられている。
【００１９】
図３に示すように、ＤＳＣ２は、撮像装置２０と、ＣＰＵ２１，ＲＯＭ２２，ＲＡＭ２３，画像記憶部２４，ファイル管理部２５を備え、ＲＯＭ２２に格納されている制御プログラムに従いＲＡＭ２３を用いてＣＰＵ２１が各種制御を行うようになっている。
【００２０】
ＣＰＵ２１は、撮像装置２０により被写体を撮影した画像データを画像記憶部２４に格納すると共に、該画像データを管理するためのファイル管理データをファイル管理部２５に格納する。なお、画像記憶部２４は、不揮発性メモリＥＥＰＲＯＭ等で構成され、電源オフ等でもデータは保持される。画像記憶部２４は固定式のメモリでも交換可能型のメモリでもよい。
【００２１】
また、画像記憶部２４に格納された複数の画像データは液晶表示部４に縮小されて表示ができ、選択／決定ボタン９を用いて所望の画像データをストレージ装置１に保存させることができるようになっている。
【００２２】
一方、ストレージ装置１は、ＣＰＵ３１，ＲＯＭ３２，ＲＡＭ３３，画像記憶部３４，ファイル管理部３５を備え、ＲＯＭ３２に格納されている制御プログラムに従いＲＡＭ３３を用いてＣＰＵ３１が各種制御を行うようになっている。
【００２３】
ＣＰＵ３１は、ＤＳＣ２のＣＰＵ２１とデータの送受を行い、ＣＰＵ２１からの画像データを画像記憶部３４に格納すると共に、該画像データを管理するためのファイル管理データをファイル管理部３５に格納する。画像記憶部３４は、不揮発性メモリＥＥＰＲＯＭ等で構成され、電源オフ等でもデータは保持される。なお、画像記憶部３４は固定式のメモリでも交換可能型のメモリでもよい。
【００２４】
ここで、ストレージ装置１は、例えば図示しない記録媒体にデータを保存する情報記録再生装置であって、例えば光磁気ディスク，ＤＶＤ，ＨＤＤ等の記録媒体にデータを保存する。
【００２５】
また、ＤＳＣ２の液晶表示部４は種々の設定画面や撮像した画像の表示が可能であり、図４に示すように、例えば画像記憶部２４に格納されている画像ファイルの画像を縮小した複数のインデックス画像４１と、各種メッセージ表示を行う設定画像４２からなる表示画面４ａを表示することができる。
【００２６】
なお、図５に示すように、ＤＳＣ２に液晶表示部４とは別体の第２の液晶表示部４３を設け、液晶表示部４に画像記憶部２４に格納されている画像ファイルの画像を縮小した複数のインデックス画像４１を、また第２の液晶表示部４３にメッセージ表示画像４２を表示するようにしてもよい。
【００２７】
このように構成された本実施例の作用について、図６のＤＳＣ２のＣＰＵ２１の処理フロー及び図７のストレージ装置１のＣＰＵ３１の処理フローを用いて説明する。
【００２８】
なお、以下、説明を簡略化するため、ストレージ装置１を光磁気ディスクにデータを記録再生を行う光磁気ディスクドライブ装置（単にＭＯとも記す）として説明する。
【００２９】
ＤＳＣ２のＣＰＵ２１は、ステップＳ１にて選択／決定ボタン９により液晶表示部４に表示される図８に示す設定画像４２上でカーソル５１でサポートフォーマット確認ボタン５２が押下されサポートフォーマット確認要求があると、ステップＳ２にてサポート可能なディスクと論理フォーマット種別をＭＯ（ストレージ装置）１に問い合わせる。
【００３０】
ＭＯ（ストレージ装置）１のＣＰＵ３１は、ステップＳ１１にてＤＳＣ２よりサポートフォーマット確認要求に基づく問い合わせを受信すると、ステップＳ１２にてファイル管理部３５を検索しサポートフォーマット確認を行う。ここで、ファイル管理部３５には、図９に示すようなサポートフォーマット情報５４が格納されており、ステップＳ１２にて確認したサポートフォーマット情報５４をＤＳＣ２に送信する。
【００３１】
ＤＳＣ２のＣＰＵ２１は、ＭＯ（ストレージ装置）１からサポートフォーマット情報５４を受信すると、ステップＳ３にてサポートフォーマット情報５４を液晶表示部４に図１０に示すような設定画像４２により表示する。次に、ステップＳ５にて選択／決定ボタン９により液晶表示部４に表示される設定画像４２上でカーソル５１で使用ディスク確認ボタン５３（図８参照）が押下され現在使用中のディスク確認要求があると、挿入されている現在使用中のディスクのディスク情報をＭＯ（ストレージ装置）１に問い合わせる。
【００３２】
ＭＯ（ストレージ装置）１のＣＰＵ３１は、ステップＳ１３にてＤＳＣ２よりディスク確認要求に基づく問い合わせを受信すると、ステップＳ１４にてファイル管理部３５を検索し使用ディスク情報確認を行う。ここで、ファイル管理部３５には、ディスクが未挿入の場合は図１１に示すようなディスク情報が格納され、ディスクが挿入されている場合は挿入されているディスクの情報が図１２に示すようなディスク情報として格納されている。そして、ディスクが挿入されている場合はステップＳ１４にて確認したディスク情報（図１２）をＤＳＣ２に送信し、ディスクが未挿入の場合はステップＳ１４にてディスク未挿入情報（図１１）をＤＳＣ２に送信する。
【００３３】
ＤＳＣ２のＣＰＵ２１は、ＭＯ（ストレージ装置）１からディスク情報を受信すると、ステップＳ５にて使用ディスクのディスク情報を確認し、ステップＳ６にてＭＯ（ストレージ装置）１にディスクが未挿入かどうか判断し、ディスクが未挿入の場合にはステップＳ７にて未挿入情報を液晶表示部４に図１３に示すような設定画像４２により表示し、ディスクが挿入されている場合にはステップＳ８にて挿入されているディスクの情報を図１４に示すような設定画像４２により表示する。
【００３４】
そして、ＤＳＣ２のＣＰＵ２１は、ステップＳ９にて設定画像４２上の戻るボタン５５（図８参照）がカーソル５１で押下されると処理を終了する。
【００３５】
なお、図６及び図７における問い合わせをＤＳＣ２−ＭＯ（ストレージ装置）１接続時やＭＯ（ストレージ装置）１にディスクが挿入された時にＤＳＣ２が自動的に行ってもよい。
【００３６】
次に挿入されたディスクが未フォーマットあるいはサポートされていないフォーマットのディスクの場合のＤＳＣ２及びストレージ装置１の処理について、図１５のＤＳＣ２のＣＰＵ２１の処理フロー及び図１６のストレージ装置１のＣＰＵ３１の処理フローを用いて説明する。
【００３７】
ＤＳＣ２のＣＰＵ２１は、選択／決定ボタン９により液晶表示部４に表示される設定画像４２上でカーソル５１でサポートフォーマット確認ボタン５２（図８参照）が押下されサポートフォーマット確認要求があると、ステップＳ２１にてサポート可能なディスクと論理フォーマット種別からなるサポートフォーマット情報及び現在挿入中ディスク情報をＭＯ（ストレージ装置）１に問い合わせ、サポートフォーマット情報及びディスク情報を入手する。なお、このステップＳ２１の処理は、上述したステップＳ１〜Ｓ９（図６）の処理と同様である。
【００３８】
一方、ＭＯ（ストレージ装置）１のＣＰＵ３１は、ステップＳ３１にてＤＳＣ２よりサポートフォーマット確認要求に基づく問い合わせを受信すると、ステップＳ３２にてファイル管理部３５を検索しサポートフォーマット情報及びディスク情報の確認を行い、確認したサポートフォーマット情報及びディスク情報をＤＳＣ２に送信し、ステップＳ３３にてＤＳＣ２からの論理フォーマットの実行指示があるかどうか判断する。ここで、本実施例のファイル管理部３５には、図１７に示すようなフォーマット／ディスク情報が格納されている。なお、このステップＳ３１及びＳ３２の処理は、上述したステップＳ１１〜Ｓ１５（図７）の処理と同様である。
【００３９】
以下、ディスクが未フォーマットの場合のＤＳＣ２及びストレージ装置１の処理について説明する。図１７に示したフォーマット／ディスク情報により、挿入されたディスクが未フォーマットと認識すると、ＤＳＣ２のＣＰＵ２１は、ステップＳ２２にて入手したサポートフォーマット情報に基づき、図１８に示すようなフォーマット実行選択画面６１を液晶表示部４に表示し、ステップＳ２３にてこのフォーマット実行選択画面６１でのカーソル５１の操作により選択可能な論理フォーマットの選択を待つ。
【００４０】
論理フォーマットが選択されると、ＤＳＣ２のＣＰＵ２１は、ステップＳ２４にてフォーマット実行選択画面６１でのカーソル５１の操作により実行の指示を待ち、実行指示があると、ステップＳ２５にてＭＯ（ストレージ装置）１にフォーマットコマンドを発行し、ステップＳ２６にてＭＯ（ストレージ装置）１からのフォーマット終了情報を受信すると処理を終了する。また、実行指示がなくステップＳ２７にてフォーマット実行選択画面６１でのカーソル５１の操作によりキャンセルの指示を受けると処理を終了する。
【００４１】
ＤＳＣ２のＣＰＵ２１が発行するフォーマットコマンドは、図１９に示すように推奨フォーマットが選択された場合は（Ａ）デフォルトコマンドとなり、推奨以外のフォーマットが選択された場合は（Ｂ）選択フォーマットＩＤコマンドとなって、ＭＯ（ストレージ装置）１に発行される。
【００４２】
ＭＯ（ストレージ装置）１のＣＰＵ３１は、ステップＳ３３にてフォーマットコマンドの発行をフォーマット実行命令と見なし、ステップＳ３４にて選択された論理フォーマットでディスクのフォーマットを実行し処理を終了する。
【００４３】
このように本実施例によれば、ＭＯ（ストレージ装置）１のファイルシステムを制御していないＤＳＣ２でも、ＭＯ（ストレージ装置）１のがサポート可能なフォーマット情報を表示することができる。
【００４４】
また、ＭＯ（ストレージ装置）１がサポート可能なフォーマット情報をＤＳＣ２に表示するので、ユーザが希望する論理フォーマットでＭＯ（ストレージ装置）１にフォーマットを実行させることができる。
【００４５】
本実施例では、ＤＳＣ２からの問い合わせに対してＭＯ（ストレージ装置）１が応答を行っていたが、ＤＳＣ２とＭＯ（ストレージ装置）１の接続時開始時にＭＯ（ストレージ装置）１が自動的に図９の情報をＤＳＣ２に送付するのでも、ディスク挿入時にＭＯ（ストレージ装置）１が自動的に図１２の情報をＤＳＣ２に送付するようにしてもよい。
【００４６】
ＭＯ（ストレージ装置）１は図１７の代わりに不要な情報を削除した図２０に示す応答を行っても良いし、図２１に示すような、使用可能なディスク毎に、使用可能な論理フォーマットや推奨フォーマットを返しても良い。また推奨フォーマットは無くても良い。
【００４７】
ＤＳＣ２は使用可能な論理フォーマットを表示サずに、自動的に論理フォーマットを指定しても良い（現フォーマットのままで良い場合などは選択する手間が省け、また論理フォーマットの知識がないユーザを困惑させないですむ）。
【００４８】
また、未フォーマットのため指定する必要がある場合のみ表示・選択するようにしても良い（同じフォーマットを使う場合がほとんどなので選択する手間が省ける）。
【００４９】
さらに事前にＤＳＣ２に使用する論理フォーマットまたは選択する論理フォーマットの優先順位を記憶させておき、ＤＳＣ２が自動的に選択しても良い（毎回選択する手間が省ける）。
【００５０】
ＭＯ（ストレージ装置）１に選択手段を設け、ユーザが推奨フォーマットを選択する様にしても良い（例えばWindowsユーザならばFAT系、MacユーザならばHFS系等）。或いはＤＳＣ２やＰＣからのコマンドで推奨フォーマットを変更し、ＭＯ（ストレージ装置）１が記憶するようにしても良い。
【００５１】
本実施例では、ＭＯ（ストレージ装置）１を例に説明を行ったが、ＣＤやＤＶＤや、ＳＭやＸＤ等の他の交換可能式ディスクに対応する情報記録再生装置でも良いし、ＨＤＤやＦＬＡＳＨ  ＭＥＭＯＲＹ等の固定式記録媒体に対応する情報記録再生装置でも良い。
【００５２】
ディスクやフォーマットの種類はFAT16=0、FAT32=1のように事前に割り当てておき、数値で表現しても構わない（大文字・小文字を考慮せずにすみ扱いが楽）。
【００５３】
またディスクやフォーマットの種類をFAT16=00000001、FAT32=00000010のようにビットに割り振っても良い（複数の数値を書かずに、１つの数値で複数を表せるので送信を行う情報量が減る）。
【００５４】
推奨論理フォーマットは全てFAT16としたが、ディスク毎に異なっても良い（大容量になるとFAT16では足りずFAT32にする必要があり、ＤＶＤ系ではUDFの方が良い）。また既に論理フォーマット済みのディスクの場合はその論理フォーマットとしても良い（ユーザが使用していたフォーマットのままにできる)。
【００５５】
選択可能なフォーマットは、例えばWindows XP（登録商標）ならばFAT16とFAT32のみを、MacOS X（登録商標）ならばHFSとHFS+のみを表示・選択可能なようにしてもよい。
【００５６】
本発明は、上述した実施例に限定されるものではなく、本発明の要旨を変えない範囲において、種々の変更、改変等が可能である。
【図面の簡単な説明】
【００５７】
【図１】本発明の実施例１に係るデータ処理管理システムの構成を示す構成図
【図２】図１のＤＳＣの背面構成を示す外観図
【図３】図１のＤＳＣ及びストレージ装置の構成を示すブロック図
【図４】図２のＤＳＣの背面構成を示す構成図
【図５】図２のＤＳＣの背面構成の変形例を示す構成図
【図６】図３のＤＳＣのＣＰＵのフォーマット確認処理を説明するフローチャート
【図７】図３のストレージ装置のＣＰＵのフォーマット確認処理を説明するフローチャート
【図８】図４の液晶表示部４に表示される設定画像を示す図
【図９】図３のストレージ装置のファイル管理部に格納されているフォーマット情報を示す図
【図１０】図９のフォーマット情報を表示した設定画像を示す図
【図１１】図３のストレージ装置のファイル管理部に格納されているディスク情報を示す第１の図
【図１２】図３のストレージ装置のファイル管理部に格納されているディスク情報を示す第２の図
【図１３】図１１のディスク情報を表示した設定画像を示す図
【図１４】図１２のディスク情報を表示した設定画像を示す図
【図１５】図３のＤＳＣのＣＰＵのフォーマット実行処理を説明するフローチャート
【図１６】図３のストレージ装置のＣＰＵのフォーマット実行処理を説明するフローチャート
【図１７】図３のストレージ装置のファイル管理部に格納されているフォーマット情報／ディスク情報を示す図
【図１８】図３のＤＳＣのＣＰＵのフォーマット実行処理で表示されるフォーマット実行選択画面を示す図
【図１９】図１８のフォーマット実行選択画面での選択実行で発行されるフォーマットコマンドを示す図
【図２０】図１７のフォーマット情報／ディスク情報の第１の変形例を示す図
【図２１】図１７のフォーマット情報／ディスク情報の第２の変形例を示す図
【符号の説明】
【００５８】
１…ストレージ装置
２…ＤＳＣ
４…液晶表示部
５…ファインダ
６…パワーＬＥＤ
９…選択／決定ボタン
１０…シャッタ
１１…モード選択ダイヤル
２０…撮像装置
２１、３１…ＣＰＵ
２２、３２…ＲＯＭ
２３、３３…ＲＡＭ
２４、３４…画像記憶部
２５、３５…ファイル管理部
代理人    弁理士    伊藤  進
【図１】
2005166166.tif 000003
【図２】
2005166166.tif 000004
【図３】
2005166166.tif 000005
【図４】
2005166166.tif 000006
【図５】
2005166166.tif 000007
【図６】
2005166166.tif 000008
【図７】
2005166166.tif 000009
【図８】
2005166166.tif 000010
【図９】
2005166166.tif 000011
【図１０】
2005166166.tif 000012
【図１１】
2005166166.tif 000013
【図１２】
2005166166.tif 000014
【図１３】
2005166166.tif 000015
【図１４】
2005166166.tif 000016
【図１５】
2005166166.tif 000017
【図１６】
2005166166.tif 000018
【図１７】
2005166166.tif 000019
【図１８】
2005166166.tif 000020
【図１９】
2005166166.tif 000021
【図２０】
2005166166.tif 000022
【図２１】
2005166166.tif 000023